【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  車両内の移動局と事務所内の基地局とを無線通信にて接続して各車両の運行を管理するシステムであって、
移動局は、
現在の車両位置を算出する車両位置算出手段と、
顧客先への到着時または顧客先からの出発時に運転者によって操作されるべき単一の操作に応じて、前記車両位置算出手段によって算出される車両位置を含む情報を基地局に無線送信する車両位置送信手段と、を備え、
基地局は、
顧客位置情報を含む複数のレコードからなる顧客マスタファイルと、
移動局から送信されてくる情報に応じて、顧客マスタファイル中の特定のレコード内の顧客位置の欄に、該情報に含まれる車両位置を書き込むことにより、当該顧客位置情報を作成する顧客位置情報作成手段と、を備える、ことを特徴とする運行管理システム。
【請求項２】  前記顧客位置情報作成手段は、移動局からの情報の受信時に一連の処理をリアルタイム処理として行うものである、請求項１に記載の運行管理システム。
【請求項３】  前記顧客位置情報作成手段は、移動局からの情報の受信時に該情報をメモリに記憶しておき、顧客マスタファイルへの書き込みをバッチ処理として行うものである、請求項１に記載の運行管理システム。
【請求項４】  前記顧客位置情報作成手段は、移動局からの情報中のユニークコードに基づき顧客マスタファイル中の書き込むべきレコードを特定するものである、請求項１に記載の運行管理システム。
【請求項５】  車両内の移動局と事務所内の基地局とを無線通信にて接続して各車両の運行を管理するシステムであって、
移動局は、
現在の車両位置を算出する車両位置算出手段と、
顧客先での運転者の操作に応じて、前記車両位置算出手段によって算出される車両位置を含む情報を基地局に無線送信する車両位置送信手段と、を備え、
基地局は、
顧客位置情報を含む複数のレコードからなる顧客マスタファイルと、
移動局からの情報中の運行管理情報に基づき、他のマスタファイルを一旦参照した後に顧客マスタファイル中の書き込むべきレコードを特定する顧客位置情報作成手段と、を備える、ことを特徴とする運行管理システム。
【請求項６】  車両内の移動局と事務所内の基地局とを無線通信にて接続して各車両の運行を管理するシステムであって、
移動局は、
現在の車両位置を算出する車両位置算出手段と、
顧客先での運転者の操作に応じて、前記車両位置算出手段によって算出される車両位置を含む情報を基地局に無線送信する車両位置送信手段と、を備え、
基地局は、
顧客位置情報を含む複数のレコードからなる顧客マスタファイルと、
移動局から送信されてくる情報に応じて、顧客マスタファイル中の特定のレコード内の顧客位置の欄に、該情報に含まれる車両位置を書き込むことにより、当該顧客位置情報を作成する顧客位置情報作成手段と、
前記顧客マスタファイル中の顧客位置情報に関する未確定リストをオペレータの指示に応じて表示させるとともに、該リスト中の選択されたレコードについて当該顧客位置情報を現在格納されているデータにて確定させる手段と、を備える、ことを特徴とする運行管理システム。
【請求項７】  車両内の移動局と事務所内の基地局とを無線通信にて接続して各車両の運行を管理するシステムであって、
移動局は、
現在の車両位置を算出する車両位置算出手段と、
顧客先での運転者の操作に応じて、前記車両位置算出手段によって算出される車両位置を含む情報を基地局に無線送信する車両位置送信手段と、を備え、
基地局は、
顧客位置情報を含む複数のレコードからなる顧客マスタファイルと、
移動局から送信されてくる情報に応じて、顧客マスタファイル中の特定のレコード内の顧客位置の欄に、該情報に含まれる車両位置を書き込むことにより、当該顧客位置情報を作成する顧客位置情報作成手段と、
顧客マスタファイル中の顧客位置情報に関する未確定リストをオペレータの指示に応じて表示させ、次いで該リスト中の選択されたレコードについて現在格納されている顧客位置情報を地図画面内に表示させ、該地図画面上での修正処理後の位置データを最終的な当該顧客位置情報として確定させる手段と、を備える、ことを特徴とする運行管理システム。
【請求項８】  未確定リストの表示のためのオペレータ指示が運行管理情報によるものである、請求項６又は請求項７に記載の運行管理システム。
【請求項９】  未確定リストの表示のためのオペレータ指示が住所によるものである、請求項６又は請求項７に記載の運行管理システム。
【請求項１０】  各車両の運行を管理する運行管理システムに利用される移動局であって、
現在の車両位置を算出する車両位置算出手段と、
顧客先への到着時または顧客先からの出発時に運転者によって操作されるべき単一の操作に応じて、少なくとも車両位置を含む情報を基地局に無線送信する車両位置送信手段と、を備えることを特徴とする移動局。
【請求項１１】  車両内の移動局と事務所内の基地局とを無線通信にて接続し、各車両の運行を管理する管理システムの顧客位置情報を作成する方法であって、以下のステップを含むもの：
前記車両の現在の車両位置を算出するステップ；
顧客先への到着時または顧客先からの出発時に運転者によって操作されるべき単一の操作に応じて、算出された車両位置を含む情報を作成し基地局に無線送信するステップ；及び
受信した前記情報に含まれる車両位置を顧客マスタファイルに書き込むステップ。
【請求項１２】  車両内の移動局と事務所内の基地局とを無線通信にて接続して各車両の運行を管理するシステムであって、
移動局は、
現在の車両位置を算出する車両位置算出手段と、
顧客先への到着時または顧客先からの出発時に運転者によって操作されるべき単一の操作に応じて、前記車両位置算出手段によって算出される車両位置を含む情報を基地局に無線送信する車両位置送信手段と、を備え、
基地局は、
顧客位置情報を含む複数のレコードからなる顧客マスタファイルと、
顧客先を示すユニークコードに基づいて顧客マスタファイル中の書き込むべきレコードを特定する手段と、を備えることを特徴とする運行管理システム。
【請求項１３】  車両内の移動局と事務所内の基地局とを無線通信にて接続して各車両の運行を管理するシステムであって、
移動局は、
現在の車両位置を算出する車両位置算出手段と、
顧客先での運転者の操作に応じて、前記車両位置算出手段によって算出される車両位置を含む情報を基地局に無線送信する車両位置送信手段と、を備え、
基地局は、
顧客位置情報を含む複数のレコードからなる顧客マスタファイルと、
移動局から送信されてくる情報に応じて、前記顧客先の位置情報が未登録状態にあるとき、顧客マスタファイル中の特定のレコード内の顧客位置の欄に、該情報に含まれる車両位置を書き込むことにより、当該顧客位置情報を作成する顧客位置情報作成手段と、を備えることを特徴とする運行管理システム。
【請求項１４】  各車両の運行を管理するシステムに利用される基地局であって、
移動局から送信される車両位置を含む情報を無線通信にて受信する受信手段と、
顧客位置情報を含む複数のレコードからなる顧客マスタファイルと、
顧客マスタファイル中の特定のレコード内の顧客位置の欄に、該情報に含まれる車両位置を書き込むことにより、当該顧客位置情報を作成する顧客位置情報作成手段と、
前記顧客マスタファイル中の顧客位置情報に関する未確定リストをオペレータの指示に応じて表示させるとともに、該リスト中の選択されたレコードについて当該顧客位置情報を現在格納されているデータにて確定させる手段と、
を備えることを特徴とする基地局。
【請求項１５】  各車両の運行を管理するシステムに利用される基地局であって、
移動局から送信される車両位置を含む情報を無線通信にて受信する受信手段と、
顧客位置情報を含む複数のレコードからなる顧客マスタファイルと、
顧客マスタファイル中の特定のレコード内の顧客位置の欄に、該情報に含まれる車両位置を書き込むことにより、当該顧客位置情報を作成する顧客位置情報作成手段と、
顧客マスタファイル中の顧客位置情報に関する未確定リストをオペレータの指示に応じて表示させ、次いで該リスト中の選択されたレコードについて現在格納されている顧客位置情報を地図画面内に表示させ、該地図画面上での修正処理後の位置データを最終的な当該顧客位置情報として確定させる手段と、
を備えることを特徴とする基地局。
【請求項１６】  各車両の運行を管理するシステムに利用される基地局であって、
移動局から送信される車両位置を含む情報を無線通信にて受信する受信手段と、
顧客位置情報を含む複数のレコードからなる顧客マスタファイルと、
移動局から送信されてくる情報に応じて、前記顧客先の位置情報が未登録状態にあるとき、顧客マスタファイル中の特定のレコード内の顧客位置の欄に、該情報に含まれる車両位置を書き込むことにより、当該顧客位置情報を作成する顧客位置情報作成手段と、
を備えることを特徴とする基地局。